(57)【要約】【解決課題】スロットマシンにおける模様替えを容易且つ迅速に行えるようにすること。【解決手段】ドラムユニット（７）とメダル払出し装置（９）とを収容してなる本体枠（１）の前面の開口部（２）に上下に揃えて上部前扉（４）と下部前扉（５）を各ヒンジ装置（３）を介して開閉自由に蝶着し、被う一方、前記上部前扉（４）は前記ヒンジ装置（３）を分離して取外し自由にして、他の異なる上部前扉と交換可能とし、該上部前扉の着脱交換によってスロットマシン前面の模様を替えるようにする。【選択図】    図２
2004223036.tif 000002
【特許請求の範囲】
【請求項１】
箱形の本体枠には上部収納空間にドラムユニットを、また下部収納空間にメダル払出し装置をそれぞれ格納すると共に、前記ドラムユニットは前記上部収納空間に対して抜き差し自由に格納する一方、前記本体枠の前面開口部には上部前扉と下部前扉を上下に配置し、各開閉自由に蝶着支持して前記上部収納空間と下部収納空間の前面をそれぞれ被い、その一方、前記上部前扉には透視窓を設けて透明板を装着し、該透明板を通して前記ドラムユニットを透視可能にすると共に、前記下部前扉にはドラムの操作用ボタン、ゲームの設定用ボタン、メダルの投入口、メダルの放出受皿等諸種の遊技操作用設備を備えてなることを特徴としたスロットマシン。
【請求項２】
請求項１の記載において、ドラムユニットには前面に表示枠を備え、該表示枠を前記ドラムユニットと共に上部前扉の透視窓を通して視認可能にしてなることを特徴としたスロットマシン。
【請求項３】
請求項１の記載において、上部前扉の透視窓の透明板にはドラムユニットの前面の視認を妨げない部分に表示部若しくは装飾部を施してなることを特徴としたスロットマシン。
【請求項４】
請求項２の記載において、上部前扉の透視窓の透明板にはドラムユニットとその前面に設けられる表示枠の視認を妨げない部分に表示部若しくは装飾部を施してなることを特徴としたスロットマシン。
【請求項５】
請求項１乃至４の記載において、上部前扉の前面部には透視窓を囲む周縁部に表示部若しくは装飾部を設けてなることを特徴としたスロットマシン。
【請求項６】
請求項１乃至５の記載において、本体枠の上部収納空間には前後方向に支持レールを付設し、他方前記上部収納空間に格納されるドラムユニットには前記支持レールに滑合する滑合体を備えて上部前扉の開放時に該支持レールを案内に前記ドラムユニットを出入自由にしてなることを特徴としたスロットマシン。
【請求項７】
請求項１乃至６の記載において、上部前扉は本体枠の前面開口部に対して着脱自由にしてなることを特徴としたスロットマシン。
【請求項８】
請求項１乃至７の記載において、上部前扉の透視窓に装着される透明板は該透視窓に対して着脱交換自由にしてなることを特徴としたスロットマシン。
【発明の詳細な説明】
【０００１】
【発明の属する技術分野】
本発明は、スロットマシンに関する。
【０００２】
【従来の技術】
周知のように、スロットマシンは箱形をなす本体枠の内部空間に複数の回転ドラムを連装したドラムユニットと、ゲームの成立に伴って払い出すメダルを貯留するメダル払出し装置とを格納し、この本体枠の前面を前扉によって被う構造にしてある。
【０００３】
上記前扉には、ドラムユニットの回転ドラムを覗く透視窓を開設し、この透視窓を囲むように回転ドラムの周面に表す図柄の組合せを表示する表示部や、メダルの投入状態やゲームの賭け率を表示する表示部を設け、また遊技の進行操作のための諸手段、例えば回転ドラムを始動させるためのレバーや各回転ドラムを停止させるための停止ボタン、更にはメダルの投入口や払い出しにより放出されるメダルを受ける受皿等を扉の前面の適所に配置し、スロットマシンを構成している。
【０００４】
従来、これらの設備を備えたスロットマシンは全ての部品設備を一体のものとして使用しており、ゲーム仕様の変更等に伴って機種を変更する場合にはスロットマシンを取り替えることによってこれに対処する方法が採られている。
【０００５】
しかし、このスロットマシン全体の入れ替えによる変更は全てが変ることから当然のことながら模様替えする場合には最も効果的な変更となるが、スロットマシンを新機種のものと入れ替えることは高額となるばかりではなく、旧機種の再利用可能な部分についてもこれを廃棄することになり、ひいては廃棄処分するに当って無用な処分費用を掛けることにもなる。
【０００６】
元来、機種の変更はゲーム仕様の変更により遊技方法が変り、遊技者にそれに基づく新鮮さを与えて興味意欲を高めることにあるが、同時に外観、デザインが変更されることによって見た目の新鮮さが与えられることにもなる。
この様なことから、最近スロットマシンの全体を入れ替えることなく主要な部分、例えば回転ドラムとこの回転ドラムと一体となる表示部をスロットマシンの本体枠から外して新たなものと交換し、ゲーム仕様の変更に合せて外観部分を変えて模様替えを行い、遊技者に視覚的な新鮮味を与える言わば部分切り離しの分離型スロットマシンが提案されるに至っている。
【０００７】
例えば特開平１０ー５２５２５号公報に記載されるスロットマシンの構造がその一例である。
ここに提案されるスロットマシンは、本体箱（本体枠）２０に対してその前面を塞ぐ前扉４０を表示窓４１を有する上部ドア９０と、装飾パネル１０１を有する下部ドア１００とから構成し、これらのドアをヒンジ装置３０を介して前記本体箱２０の一側に開閉自由に取り付けるようにしたものであり、各ドア９０，１００をそれぞれヒンジ装置３０を外すことにより本体箱２０から個別に取り外して交換できる構造としたものである（特許文献１）。
【０００８】
【特許文献１】
特開平１０ー５２５２５号公報  第２頁左欄第２４行目〜第３２行目、第５頁右欄第２２行目〜第３８行目、及び図１、図２。
【０００９】
ここに提案された例は、上下のドア、つまり上部前扉と下部前扉を個別に交換可能にすることで、スロットマシンを部分的に変更することができるようにしたものであり、この交換によって外観の部分的変更と機能（若しくは仕様）の変更、ことに上部ドアにおいてはリール装置１１０、つまり回転ドラムのユニットを一緒に備えるものとすることによってゲーム仕様を交換変更することができるものとしている。
【００１０】
【発明が解決しようとする課題】
しかし、この従来の部分の交換を可能にしたスロットマシンは、ゲーム仕様を変更するドラムユニット（リール装置）を含む入れ替えを可能とする点でスロットマシン全体の交換変更に近い効果を挙げることができるが、遊技者に模様替えの印象を与える程度の変更でよい、とする場合は機能の変更を伴わない変更、つまり視覚される範囲の意匠的変更でも充分である。またこの様な変更の場合コスト的にも有利になる。
【００１１】
本発明は、この様な観点において容易にスロットマシンの外観的変更を可能にし、遊技者に新鮮さを与えて新機種の入れ替えに近い印象を与えるようにしたスロットマシンを提供するものであり、これによりスロットマシンの使用期間の延長を図ると共に、無用な廃棄処分を回避し、また維持，管理を容易にした経済性に優れたスロットマシンとしたことにある。
【００１２】
【課題を解決するための手段】
本発明は上記目的を達成するため、ドラムユニットとメダル払出し装置を格納する箱形の表示体の前面開口部を上下２つに分割し独立させた上部前扉と下部前扉によって被うと共に、前記ドラムユニットを前記上部前扉に開設する透視窓を通して視認可能とする。そして、必要とするとき前記上部前扉の交換を通して意匠外観を変更し、また該上部前扉によって被われるドラムユニット及び或は該ドラムユニットの前面側に備えられる表示枠を交換することによって意匠的外観、更には遊技仕様の変更を可能にしたスロットマシンを提供することにある。
【００１３】
更に本発明を詳述すると、この発明は箱形の本体枠の上部収納空間にドラムユニットを、また下部収納空間にメダル払出し装置をそれぞれ格納し、前記ドラムユニットは前記上部収納空間に対して抜き差し自由に格納する。その一方、前記本体枠の前面開口部には上部前扉と下部前扉を上下に配置し、各開閉自由に蝶着支持して前記上部収納空間と下部収納空間の前面をそれぞれ被う。
そして、前記上部前扉には透視窓を設けて透明板を装着し、該透明板を通して前記ドラムユニットを透視可能にすると共に、前記下部前扉にはドラムの操作用ボタン、ゲームの設定用ボタン、メダルの投入口、メダルの放出受皿等諸種の遊技操作用設備を備えてなることを特徴としたスロットマシンを提供することにある。
【００１４】
また本発明は、前記ドラムユニットには前面に表示枠を備え、該表示枠を前記ドラムユニットと共に上部前扉の透視窓を通して視認可能にしてなることを特徴としたスロットマシンを提供することにある。
【００１５】
また本発明は、前記上部前扉の透視窓の透明板にはドラムユニットの前面の視認を妨げない部分に表示部若しくは装飾部を施してなることを特徴としたスロットマシンを提供することにある。
【００１６】
また本発明は、前記上部前扉の透視窓の透明板にはドラムユニットとその前面に設けられる表示枠の視認を妨げない部分に表示部若しくは装飾部を施してなることを特徴としたスロットマシンを提供することにある。
【００１７】
また本発明は、前記上部前扉の前面部には透視窓を囲む周縁部に表示部若しくは装飾部を設けてなることを特徴としたスロットマシンを提供することにある。
【００１８】
また本発明は、前記本体枠の上部収納空間には前後方向に支持レールを付設し、他方前記上部収納空間に格納されるドラムユニットには前記支持レールに滑合する滑合体を備えて上部前扉の開放時に該支持レールを案内に前記ドラムユニットを出入自由にしてなることを特徴としたスロットマシンを提供することにある。
【００１９】
また本発明は、前記上部前扉は本体枠の前面開口部に対して着脱自由にしてなることを特徴としたスロットマシンを提供することにある。
【００２０】
また本発明は、前記上部前扉の透視窓に装着される透明板を該透視窓に対して着脱交換自由にしてなることを特徴としたスロットマシンを提供することにある。
【００２１】
【発明の実施の形態】
次に、本発明の実施の形態を図示する実施例について説明し、その要旨とするところを明らかにすると共に、その他の特徴について併せて説明することにする。尚、異なる実施例間において図面中同一の部所については同一の符号を付してその説明を省略する。
【００２２】
【実施例１】
図１乃至図６は本発明に係るスロットマシンの一例を示すものである。図１は本発明スロットマシンの斜視図であり、図２は上部前扉を外す一方、下部前扉を開放した状態の斜視図、図３は図２の状態において本体枠からドラムユニットを取り出した状態の斜視図であり、図４は正面において右方に片寄った部分で断面とした縦断右側面図である。
【００２３】
本体枠１は前面を開放する縦長の箱形に形成してあり、その開口部２の左側縁部にはヒンジ装置３、３を使って上下に配置する上部前扉４と下部前扉５のそれぞれを開閉自由に蝶着しており、また内部には上部の収納空間６にドラムユニット７を、また下部の収納空間８にメダルの払出し装置９を収めている。
【００２４】
上記上下の収納空間６、８は本体枠１の内部を略２分するようにしており、これらの空間にドラムユニット７とメダル払出し装置９を収め、且つそれぞれの前面を上下の前扉４、５で被う構造にしているのである。
【００２５】
上部前扉４は矩形をなす枠体の中央部を開放して透視窓１０を形成し、全体の形状が額縁形をなすようにしてあり、開放した上記透視窓１０には透明板、ここではアクリル製の透明板１１が嵌め込まれ開口を塞いでいる。そして、上縁部の前面には表示用のランプ１２を収めるランプケース１３を横長に備え、背面側から上記ランプ１２を取付けた基板１４を添わせ、また右側縁部の背面にはロック装置の係止爪１５を上下に２個備えて本体枠１に設ける係止部１６に掛け止め、閉塞状態が確保できるようにしてある。
【００２６】
下部前扉５は前面の上縁部分に前方に突き出す如く横長の操作台１７を設け、この操作台の上面左側にメダルの投入個数を１個、２個と設定する投入個数設定ボタン１８を横列に配置し、右端にメダルの投入口１９を配置している。
【００２７】
前記操作台１７の前面部にはゲームを始動させるスタートレバー２０を配置し、中央部分には３個のストップボタン２１ａ、２１ｂ、２１ｃを配置している。そして、その右寄りにはクレジットモードの設定用ボタン２２と詰りメダルの解除用ボタン２３を設置している。
【００２８】
２４は前記下部前扉５のロック装置を操作する鍵穴を示す。この鍵穴はその背後に後向きに突出する係止爪２５を本体枠１の係止部２６から外すとき使用される。
尚、この実施例では上記鍵穴２４に差し入れる鍵で下部前扉５の開放を行ったのち、前記上部前扉４の背後に手を差し入れ開放操作ができるようにしてある。そのためこの上部前扉４の前面部分には係止爪１５を操作するための鍵穴を用意していない。
【００２９】
図中２７は、前記操作台１７の下方の前面部に着脱自由に付設した固定の表示板であり、この表示板２７の下方に放出されるメダルを受ける受皿２８を備え、受皿２８の上方に前記メダルの払出し装置９から放出されるメダルの排出口２９が設けてある。
【００３０】
その一方、下部前扉５の背面側にはメダル投入口１９から投入されたメダルを選別するセレクター３０が斜めに配置してあり、下部前扉が閉塞されたときこのセレクターの下端が払出し装置９のホッパー部９ａに臨みメダルの送り込みができるようにしてある。
【００３１】
セレクター３０の下方には前記排出口２９の後部が突出し、メダル払出し装置９の放出口３１と連通するようにしてあり、また背面部の下隅部には効果音を発するスピーカー３２が設けてある。
【００３２】
前記ドラムユニット７は基板３３から門形の支持フレーム３４を起立し、このフレームの内側に等間隔で図示しない支持板を起立配置して３分割し、各分割した空間内に個別に回転ドラム３５ａ、３５ｂ、３５ｃを収めて３個のドラムを横一列に並立するようにしている。
【００３３】
上記の各回転ドラムは支持フレーム３４と支持板、又は支持板相互の間に支持軸を介して回転自由に支持すると共に、各回転ドラムには個別に回転駆動するモータを備え、各独立に回転させ、また個別に回転を停止できるようにしてある。
【００３４】
上記ドラムユニット７は基板３３の両側に滑合体を備え、この滑合体を本体枠１の内部に備える支持レールに滑合させて収納されるようにしてある。
上記滑合体は、ここでは左右ともに前後一対のローラー３６、３６から構成し、またこれを受ける支持レール３７、３７は側壁板３８、３８の内面に向い合せにしてそれぞれ水平に付設し、前後方向に自由に誘導できるようにしてある。
【００３５】
図６は滑合体である前記ローラ３６、３６と支持レール３７、３７の関係を詳示したものである。これに基づき説明すると、前記ローラー３６は、図示したように基板３３の両縁部から折り曲げ垂設する受部３９、３９に支軸４０を軸着して回転自由に取付けてあり、一方、支持レール３７、３７は金属帯板を断面Ｌ字形に屈曲成形してその一片を取付片３７ａとし、これをビスｎによって前記側壁板３８に固着し、他の支持片３７ｂとなる一片を水平に保持し、これに前記ローラー３６を受止めるようにしている。
【００３６】
図面から明らかな様に、前記ドラムユニット７の基板３３は両側壁板３８、３８に各付設する支持レール３７、３７に左右のローラー３６、３６を架け渡すことができる幅に形成されるが、ここでは前記支持レールの支持片３７ｂを広幅に形成して余裕をもってローラー３６、３６を受けられるようにしてある。そして、両ローラーを滑合したときローラー３６と支持片３７ｂの内側の縁部との間に間隔４１を確保するようにしてある。
この間隔４１はドラムユニットの基板３３の幅員に対して本体枠１の両側壁板３８、３８間に製造上起こる間隔の誤差を吸収するため設けられるものである。
【００３７】
左右のローラー３６、３６は両支持レール３７、３７に滑合させ支持させた後、一方のローラー３６と側壁板３８との間に上記間隔４１を埋める一定幅員のスペーサー４２を介挿し、ピン４３でこれを支持片３７ｂに固定してドラムユニット７を所定位置に固定することになる。
【００３８】
図中、４４は前記支持レールの支持片３７ｂの端縁から立ち上げた縁片である。この縁片４４は滑合部材たるローラー３６の落下を防止するためと、ここでは前記スペーサー４２の固定において、このスペーサーと共働してローラー３６を狭持し、任意の移動を拘束してドラムユニットを一定位置に固定するために機能する。
【００３９】
尚、支持レール３７は側壁板３８の内側面に沿って本体枠１の開口部２から背面壁４５に至る全幅に亘って付設してあり、ドラムユニット７の基板３３の両側部に前後２個宛設ける２つのローラー３６、３６を略前端と後端の２ヶ所で受け止め、これにより安定した状態でドラムユニットを支持することができるようにしてある。
【００４０】
図中４６は、前記回転ドラム３５ａ，３５ｂ，３５ｃに表示される図柄の組合せ関係を表示する表示ラインを表示したり、表示ラインの選択を表したり、クレジットメダルの数を表示する表示部等を設ける表示枠である。
【００４１】
表示枠４６はドラムユニット７に備えられる回転ドラム３５ａ，３５ｂ，３５ｃの前面部に支持されるように、ここでは基板３３の上方に支持フレーム４７を枠組してこれに取付け、ドラムユニット７と一体をなすようにしてあり、ドラムユニットの交換時にはこれと一体に交換されるようにしてある。勿論、この表示枠４６はドラムユニットとは別体に形成して組付けることによって一体とするものであるから別々に取扱って表示枠４６単独での交換を行っても、またドラムユニットのみを交換するようにしてもよい。
【００４２】
前記表示枠４６を更に詳述すると、この表示枠は図示するように表示パネル４６ａと表示用ランプを収容する枠体４６ｂから構成してあり、この両者を前後から抱き合せに組合せることで完成させてある。
上記表示パネル４６ａは透明なガラス板、或はプラスチック板から形成してあり、中央部分には３個の回転ドラム３５ａ、３５ｂ、３５ｃの各前面部分を臨ませる窓４８を形成してあり、この窓４８を除く周囲を不透明乃至半透明にしてこれに後述する各種の表示部を形成している。
【００４３】
表示パネル４６ａは上部に機種を表示する広告用の図柄模様（表示部）４９を表し、この模様の下に左からクレジットメダル数を表示する表示部５０、大当りラウンド表示部５１、メダル払出数表示部５２を設け、窓４８の左方には縦列に５個の遊技状態報知部５３を設けている。そして、窓４８の左右両側には左右対称状に５個のライン表示部５４・・・と、５５・・・を設け、更に窓４８の下方には前記回転ドラムに各対応するように３個の回転ドラムの回転状態を表示する表示部５６を設けている。尚、上記窓４８には上記ライン表示部５４・・・、５５・・・間を結ぶように表示ラインが描かれることになる。
【００４４】
上記それぞれの表示部はその背後に設置されるＬＥＤやフィラメント型電球等のランプ５７、そして、７セグメント表示器５８等、その形状が直接的に視覚されないように着色されて半透明化され、また着色に濃淡の変化を付けて表示部毎の違いが一見して識別できるようにしてある。更にこれらは枠体４６ｂの点灯照明によって表示状態が一層明瞭なものとなるようにしてある。
【００４５】
ところで、上記枠体４６ｂはプラスチックを材料に形成したランプケースになっており、前記表示パネル４６ａに合せた矩形の箱形に形成してその中央部分には前記窓４８に対応させて矩形の中空の窓５９を形成している。そして、この中空の窓５９を囲むように前記表示パネル４６ａに各形成するそれぞれの表示部に対応させてランプ収容部６０を設けるようにしている。
【００４６】
上記各ランプ収納部は、壁板によって仕切り独立する構造にして照明を個別化すると共に、枠体自体の軽量化を図り、また強度を高めて表示パネル４６ａを安定的に支持できるようにしてある。一方、上記枠体４６ｂは背面に前記ランプ収容部６０に向けてそれぞれランプ５７並びに７セグメント表示器５８を備えた基板６１を添わせ、更に液晶表示装置６２を臨ませてこれらを一体的に組付け、表示枠４６を構成している。
【００４７】
上記液晶表示装置６２は遊技の進行状況を動画として画像表現し、遊技者に報知するものであり、前記枠体４６ｂの収容部に背後から嵌め入れ組付けてある。そして、前面の画面６２ａを前記表示パネル４６ａに透明の状態に残す小窓に臨ませて表示パネルの前面側から画面が覗けるようにしてある。
【００４８】
上記液晶表示装置６２については、その表示する画像データ及び画像制御データを収めたＲＯＭ等のデータ記憶装置を含む画像制御基板を該液晶表示装置の背面或は表示枠４６の背面等の適所に一体に備えておくと、後述する遊技制御基板等その他の制御手段に関係することなく表示枠４６と共に単独で取り外し移動することができることになる。
【００４９】
さて、上記構成に係る本発明スロットマシンは本体枠１と上下の前扉４、５、ドラムユニット７、メダル払出し装置９を前述した如く各個別に形成し、その後相互に組合せることにより完成させることになるが、本体枠１については予め支持レール３７を両側壁板３８の内側面に止着し、また右方の側壁板３８に外部中継端子基板６３を取付け、左方の側壁板３８に電源基板６４を取付け、底板６５上に払出し装置９を載置してこれを収容することになる。
【００５０】
ドラムユニット７は、本体枠１に対する諸部材を前述の如く装備したのち開口部２を通して持ち込むことになる。このとき左右のローラー３６をそれぞれの支持レール３７に滑合させ、その後この支持レールを案内にして押し込み、収容することになる。そして、ローラーが収まり位置に達したとき、前述したスペーサー４２を支持レールに添えてビス止めし、前後のローラーの移動を拘束し、これによって定位置にセットすることになる。
【００５１】
上記支持レールに対するドラムユニット７の固定は、前述したスペーサによる外、相互の間にロック装置を配置して掛け止め固定してもよく、更に簡単には支持レールの定位置に小突起部を設けてドラムユニットを最終位置に押し込んだときこれに後方のローラー３６を乗り上げ係止させてもよく、その方法は１つに限定されない。
【００５２】
この取付け作業に先立って遊技制御基板６６と、ここではドラムユニット７の支持フレーム３４の上面に備えるドラム装置中継基板６７、及び枠体４６ｂに臨むそれぞれのランプ基板６１とをコード６８、６９を介して接続し、ドラムユニットの持込み作業の終了後に上記遊技制御基板６６と電源基板６４との接続を行うことになる。
【００５３】
上部前扉４と下部前扉５は本体枠１の上下の収納空間６、８に上述の如くしてドラムユニット７、払出し装置９を収納したのち閉塞し、それぞれの係止爪１５、２５を係止部１６、２６に掛け止めてロックすることになる。
【００５４】
上部前扉４は、上下のヒンジ装置３を構成する各翼片相互を蝶着支軸を介して分離自由なものにしてあり、これにより必要に応じて図２、図３に示したように本体枠１から取り外すことができるようにしてある。
この上部前扉４の取り外しは主として交換作業を容易にするためで、この上部前扉の交換により外観が変更されることになる。
【００５５】
取り外した上部前扉４は、図示しない蝶着支軸によって本体枠１に取付ける翼片と上部前扉に取付ける翼片とを連結し、一つのヒンジ装置３に組立ることにより本体枠１に対する取付けが行われる。そして、上記蝶着支軸を支点にして開閉が自由に行われることになる。
【００５６】
この上部前扉４は閉塞することによって前記ドラムユニット７と表示枠４６の前面を被い、透明板１１を嵌めた透視窓１０を通してこれらの前面を覗くことができるようになっており、表示パネル４６ａの前面に施した装飾部と各表示部が、そしてこのパネルに形成した窓４８を通して回転ドラム３５ａ、３５ｂ、３５ｃの各前面部分がそれぞれ視認できることになる。
【００５７】
一方、下部前扉５は閉塞と同時にセレクター３０の後部がメダル払出し装置９のホッパー９ａに臨み、投入されるメダルの送り込みが可能となると共に、受皿２８の排出口２９の後部が放出口３１に連通してメダルの放出に備えられることになる。
【００５８】
図示しないが、下部前扉５を蝶着するヒンジ装置３も前記上部前扉４のヒンジ装置３と同様の分離形の蝶着手段にして必要に応じて蝶着支軸を外し、分離可能にして本体枠１から下部前扉５の取り外しができるようにしてある。
ヒンジ装置３の分解による取付け、取り外しは下部前扉５の組付け作業において有利であると共に、この下部前扉５を交換し模様替えするときにも便利に使用できる。
【００５９】
以上の構成から明らかなように、本発明スロットマシンは上下の前扉４、５を閉じることによって本体枠１内部のドラムユニット７並びにメダル払出し装置９を完全に密閉し、ドラムユニット、払出し装置に対する不正行為を防止することができる一方、この上下の前扉４、５を本体枠１からそれぞれ単独に取り外すことが可能にしてあることから、これら前扉４、５の交換を容易に行うことができるようになっている。このため、スロットマシンの模様替えにあたってこれら上下の前扉を交換すれば、その外観を簡単に変えることができ、模様替えをすることができることになる。
【００６０】
またこの前扉４、５の交換とは別に、本発明では上部前扉４とは別のドラムユニット７が本体枠１に対して支持レール３７を介して滑合し、取り出し自由にしてあることから、このドラムユニット７の交換によっても模様替えが行えることになる。更にはこのドラムユニットの交換によって遊技仕様を変更する実質的な機種替えとなる交換作業も容易に行えることになる。
【００６１】
そして、本発明においてはドラムユニット７の前面に表示枠４６を備えて一体とし、この表示枠４６を前記上部前扉４の透視窓１０を通してその全体を覗ける構造としたことから、ドラムユニット７の交換によってこの表示枠４６の交換も同時に行えることになる。この結果、遊技者の注意が集中する部分の模様替えが簡単に、且つ効率的に行えることになる。
【００６２】
勿論、表示枠４６はドラムユニット７に対して取り外しができ、別体とすることが可能であるため、この表示枠４６のみを交換することも可能であり、この場合更に簡単に模様替えが実行できることになる。
【００６３】
【実施例２】
図７は、前記実施例１において説明した上部前扉４の透明板１１の取付けについてその他の方法を示したものである。尚、図面中の同一の部所については同一の符号を付してその説明を省略することにする。
ここに示す透明板１１は、アクリル板であって上部前扉４の透視窓１０の口径よりやゞ大き目に形成してあり、この透視窓１０の背後から添わせて当接した周縁部にピン７０を刺し通し、透視窓１０の縁部１０ａに植設してあり、嵌め殺し状態にして一体に取付けるようにしてある。
【００６４】
この取付けによると、背面側からしかピン７０の抜き取りができないことになっており、このため上部前扉４を開放したときのみ透明板１１の取り外しが可能になっている。従って、使用時においては閉塞状態にあるためこの透視窓１０を使っての装置内部への不正行為はできないことになる。
【００６５】
【実施例３】
図８は、透明窓１０に嵌め殺し状に嵌め付ける透明板１１の取り外しを容易にしてその交換を簡単に行えるようにした第３の実施例を示したものである。
この実施例では上部前扉４に開放する透視窓１０の下縁部と両側縁部に添ってＵ字形の装着枠７１を嵌め込むようにして、この装着枠７１を介して窓に透明板１１を嵌め付けるようにした例である。
【００６６】
装着枠７１は下縁と左右の縁の枠を内側に向って開放する断面コ字形に形成してあり、図示するように下縁両端を支軸７２を介して揺動自由に枢着してある。上記支軸７２を支点にして後方に傾倒させたとき、上記内向きの溝に透明板１１の縁を嵌め入れ、次にこの枠を前方に起して透視窓１０の開口に嵌め入れ、窓の上部縁に備えるフック７３に掛け止めることにより透明板１１の嵌め付けを行えるようにしてある。
【００６７】
この実施例は、より簡単に透明板１１の交換が行えるようにして模様替えを容易且つ迅速に実行できるようにした例である。この場合も透明板１１の交換は上部前扉４を開放し、その背面側を開放した状態で行うことになる。
【００６８】
ところで、前記各実施例で説明した透明板１１については、透明板自体に変化を付けるため表示部について、或は装飾部について各種の方法を講じることができる。例えば表示部の形成に当っては特定のパターンで点灯し、或は点滅するＥＬ（エレクトロルミネッセンス）素子からなる帯片状の表示部を設けて大当り状態などの遊技状況を表示したり、或は透明板に模様や文字をカラー印刷したフィルムを貼付けて装飾部を形成したりすることができる。
【００６９】
上記透明板に形成する表示部や装飾部は、その背後に位置するドラムユニット７や表示枠４６の前面を隠さない範囲、具体的にはこれらの前面を囲む周縁部分に設けることが望まれることになる。
この透明板１１の周縁部分に表示部、装飾部を設けるその外の理由は、背後のドラムユニットや表示枠の前面要部を隠さないことの外に、この要部以外の不要な部分を隠して前面の外観を美麗に仕上げる上で有効に作用することにもよる。
【００７０】
尚、上記表示部、或は装飾部は透明板１１の前面側に施してもよいが、板の背面側に施すと、外部からの損傷を回避できるので都合がよい。ことにＥＬ素子や模様を印刷した装飾用フィルムを貼付けて形成する場合には剥離される等のいたずらを受ける危険があるので背面側への設置は有効である。
【００７１】
勿論、透明板１１に形成する表示部はＥＬ素子など発光体を使用する場合の外、遊技方法を説明する印刷物であってもよく、その種類を特定されないことは言うまでもない。このことは装飾部についても同じである。
また装飾部の形成に当っては不透明素材による場合の外、半透明な色素材などを使用して、例えば背後の表示枠４６に表示される装飾と合成して新たな装飾を形成するようにしてもよい。
【００７２】
【発明の効果】
以上、本発明を実施例につき詳述したが、本体枠の上部収納空間にドラムユニットを収め、その前面を開閉自由に蝶着する上部前扉によって塞ぐ構造にしてドラムユニットを被うものとしたことから外部からの不正な侵入を防止することができることは勿論のこと、ゲームの成立、不成立を決定する前記ドラムユニットの前面を囲む上部前扉について異なる装飾、表示を施した他の上部前扉と単独に交換することが可能であることから簡単にスロットマシンの前面の外観を変更し、その模様替えをすることができ、新機種との入れ替えを行うことなく簡単に遊技者に新鮮味を与えることができることになる。
【００７３】
また、本発明は前記上部前扉の着脱交換に加えて、この上部前扉とは別にドラムユニットのみを本体枠から単独に取り出せるようにしたことから異なるドラムユニットと交換することで同様にスロットマシンの前面外観を変更することができるものとなっており、更にはこのドラムユニットと切り離してその前面に設けられる表示枠を他の表示枠と交換することによって同じくスロットマシンの前面外観を変更し、その模様替えをすることができる利点がある。
【００７４】
そして、これらの模様替えは全て部分的な交換で実現し、しかも簡単に行えるものであることから迅速に且つスロットマシン全体の入れ替えに比較して遥かに経済的に行える利点がある。
【図面の簡単な説明】
【図１】本発明に係るスロットマシンの斜視図。
【図２】上部前扉を外すと共に下部前扉を開放した状態を示す斜視図。
【図３】上部前扉を外すと共に下部前扉を開放し、ドラムユニットを本体枠から取り出した状態の分解斜視図。
【図４】正面において右に片寄った位置で断面とした拡大縦断右側面図。
【図５】図４と同一位置で断面とした一部分解拡大縦断右側面図。
【図６】本体枠に装備される支持レールとこれに滑合するドラムユニットのローラーとの関係を説明する一部省略した拡大正面図。
【図７】第２の実施例における上部前扉の縦断右側面図。
【図８】第３の実施例における上部前扉の縦断右側面図。
【符号の説明】
１                  本体枠
２                  本体枠の開口部
３                  ヒンジ装置
４                  上部前扉
５                  下部前扉
６                  上部収納空間
７                  ドラムユニット
８                  下部収納空間
９                  メダル払出し装置
１０                透視窓
１１                透明板
１３                表示ランプ
１７                操作台
１９                メダル投入口
２０                スタートレバー
２１ａ，２１ｂ，２１ｃ    ストップボタン
２８                受皿
２９                放出口
３０                セレクター
３３                ドラムユニットの基板
３４                支持フレーム
３５ａ，３５ｂ，３５ｃ    回転ドラム
３６                滑合体たるローラー
３７                支持レール
３８                本体枠の側壁板
４２                スペーサ
４６                表示枠
４６ａ              表示プレート
４６ｂ              枠体
４８                窓
４９                表示部
５０                クレジットメダル数表示部
５１                大当りラウンド表示部
５２                メダル払出し数表示部
５３                遊技状態報知部
５４，５５          ライン表示部
５９                枠体に形成される窓
６０                ランプ収容部
６２                液晶表示装置
７１                透明板を装着する装着枠
【図１】
2004223036.tif 000003
【図２】
2004223036.tif 000004
【図３】
2004223036.tif 000005
【図４】
2004223036.tif 000006
【図５】
2004223036.tif 000007
【図６】
2004223036.tif 000008
【図７】
2004223036.tif 000009
【図８】
2004223036.tif 000010